(57)【要約】【課題】  印字品質を著しく低下することなく、印字速度を高速化する。【解決手段】  ドットプリンタ１０は、格子状の領域に配置された１つ以上のドットとしてフォントを表すフォントパターンの一部が、フォントの縦要素であるか判定し、縦要素であると判定した場合にフォントパターンの当該部分のドットを千鳥状に配置する縦要素配置編集を行い、縦要素ではないと判定した場合に、フォントパターンの当該部分のドットを所与の印字速度に対応する間隔で配置する横要素配置編集を行うフォントパターン編集部１００２を備える。【選択図】      図１２
2015098115.tif 000002
【特許請求の範囲】
【請求項１】
格子状の領域に配置された１つ以上のドットとしてフォントを表すフォントパターンの一部が、前記フォントの縦要素であるか判定し、縦要素であると判定した場合に、前記フォントパターンの当該部分のドットを千鳥状に配置する縦要素配置編集を行い、縦要素ではないと判定した場合に、前記フォントパターンの当該部分のドットを所与の印字速度に対応する間隔で配置する横要素配置編集を行うフォントパターン編集手段を備えるドットプリンタ。
【請求項２】
フォントパターン元データを格納する記憶手段をさらに備え、
前記フォントパターン編集手段は、前記フォントパターン元データを横方向に所定の倍率伸長したフォントパターンにおいて、横方向に所定数のドットが連続しており、かつ、当該ドットの横方向の前後に他のドットが無い場合に、当該部分はフォントの縦要素であると判定する請求項１に記載のドットプリンタ。
【請求項３】
前記横要素配置編集は、前記フォントパターン元データを横方向に所定の倍率伸長したフォントパターンにおいて、前記所与の印字速度に対応する間隔で当該フォントパターンのドットを選択し、選択されなかったドットを間引く処理である請求項２に記載のドットプリンタ。
【請求項４】
前記フォントパターン編集手段は、前記フォントパターン元データを横方向に所定の倍率伸長したフォントパターンにおいて、横方向に所定の列数ごとのドットを除くドットを間引くことにより原フォントパターンを作成し、
前記縦要素配置編集は、千鳥状に配置されたドットの横方向におけるドット間の距離が、前記原フォントパターンにおける距離よりも短くなるように配置する処理である請求項２または３に記載のドットプリンタ。
【請求項５】
前記所与の印字速度に対応する間隔は、前記原フォントパターンのドット間隔に、前記原フォントパターンに対応する印字速度と前記所与の印字速度の比率を掛け合わせたものである請求項４に記載のドットプリンタ。
【請求項６】
格子状の領域に配置された１つ以上のドットとしてフォントを表すフォントパターンの一部が、前記フォントの縦要素であるか判定し、
縦要素である場合に、前記フォントパターンの当該部分のドットを千鳥状に配置する縦要素配置編集を行い、
縦要素ではない場合に、前記フォントパターンの当該部分のドットを所与の印字速度に対応する間隔で配置する横要素配置編集を行うフォントパターン編集方法。
【請求項７】
フォントパターン元データを記憶手段に格納し、
前記フォントパターン元データを横方向に所定の倍率伸長したフォントパターンにおいて、横方向に所定数のドットが連続しており、かつ、当該ドットの横方向の前後に他のドットが無い場合に、当該部分はフォントの縦要素であると判定する請求項６に記載のフォントパターン編集方法。
【請求項８】
前記横要素配置編集を行う際に、前記フォントパターン元データを横方向に所定の倍率伸長したフォントパターンにおいて、前記所与の印字速度に対応する間隔で当該フォントパターンのドットを選択し、選択されなかったドットを間引く請求項７に記載のフォントパターン編集方法。
【請求項９】
前記フォントパターン元データを横方向に所定の倍率伸長したフォントパターンにおいて、横方向に所定の列数ごとのドットを除くドットを間引くことにより原フォントパターンを作成し、
前記縦要素配置編集を行う際に、千鳥状に配置されたドットの横方向におけるドット間の距離が、前記原フォントパターンにおける距離よりも短くなるように配置する請求項７または８に記載のフォントパターン編集方法。
【請求項１０】
前記所与の印字速度に対応する間隔は、前記原フォントパターンのドット間隔に、前記原フォントパターンに対応する印字速度と前記所与の印字速度の比率を掛け合わせたものである請求項９に記載のフォントパターン編集方法。
【発明の詳細な説明】
【技術分野】
【０００１】
本発明は、ドットプリンタおよびフォントパターン編集方法に関し、特に印字品質を著しく低下することなく印字速度を高速化する技術に関する。
【背景技術】
【０００２】
ドットプリンタにおいて高速印字を行うために、印字するフォントパターンのドットを間引いたり、フォントパターンのドット間隔を広くしたりすることにより印字速度を向上する技術が知られている。
【０００３】
特許文献１記載のドットプリンタは、フォントの線の進行方向に交互にドットを間引く処理を行うことにより、線の太さを変更することなしに高速印字用のフォントパターンを作成する。
【０００４】
特許文献２記載の印字方法は、フォントの原ドットデータ１個を行方向にｎ個のドットデータに変換し、ｍ個（ただしｍ≧ｎ）おきのドットデータを選択することにより、非整数倍の速度の高速印字を実現する。
【先行技術文献】
【特許文献】
【０００５】
【特許文献１】特許第３０３３５０１号公報
【特許文献２】特開平６−２１８９８８号公報
【発明の概要】
【発明が解決しようとする課題】
【０００６】
上述した特許文献１記載のドットプリンタは、ドットが間引かれた千鳥状の部分がギザギザした（いわゆるジャギーな）印象を与えるという問題がある。
【０００７】
上述した特許文献２記載の印字方法は、横方向にドット間隔を広げるため、文字の縦線の部分など、フォントの縦方向の要素が太くなるという問題がある。
【０００８】
本発明は、上述した課題を解決するための技術を提供することを主たる目的とする。
【課題を解決するための手段】
【０００９】
上記目的を達成する本発明に係るドットプリンタは、
格子状の領域に配置された１つ以上のドットとしてフォントを表すフォントパターンの一部が、前記フォントの縦要素であるか判定し、縦要素であると判定した場合に、前記フォントパターンの当該部分のドットを千鳥状に配置する縦要素配置編集を行い、縦要素ではないと判定した場合に、前記フォントパターンの当該部分のドットを所与の印字速度に対応する間隔で配置する横要素配置編集を行うフォントパターン編集手段を備える。
【００１０】
上記目的を達成する本発明に係るフォントパターン編集方法は、
格子状の領域に配置された１つ以上のドットとしてフォントを表すフォントパターンの一部が、前記フォントの縦要素であるか判定し、
縦要素である場合に、前記フォントパターンの当該部分のドットを千鳥状に配置する縦要素配置編集を行い、
縦要素ではない場合に、前記フォントパターンの当該部分のドットを所与の印字速度に対応する間隔で配置する横要素配置編集を行う。
【発明の効果】
【００１１】
本発明によれば、印字品質を著しく低下することなく、印字速度を高速化する事ができる。
【図面の簡単な説明】
【００１２】
【図１】本発明の第１の実施形態に係るドットプリンタの構成を表すブロック構成図である。
【図２】第１の実施形態における、フォントパターン元データの一例を表す図である。
【図３】第１の実施形態における、編集途中のフォントパターンを表す図である。
【図４】第１の実施形態における、原フォントパターンを表す図である。
【図５】第１の実施形態における、高速印字フォントパターン編集処理を説明するフローチャートである。
【図６】第１の実施形態における、編集途中のフォントパターンを表す図である。
【図７】第１の実施形態における、編集途中のフォントパターンを表す図である。
【図８】第１の実施形態における、編集途中のフォントパターンを表す図である。
【図９】第１の実施形態における、２倍速の印字速度のためのフォントパターンを表す図である。
【図１０】第１の実施形態における、１．５倍速の印字速度のためのフォントパターンを表す図である。
【図１１】第１の実施形態における、１．２５倍速の印字速度のためのフォントパターンを表す図である。
【図１２】本発明の第２の実施形態に係るドットプリンタの構成を表すブロック構成図である。
【発明を実施するための形態】
【００１３】
次に、本発明の実施の形態について図面を参照して詳細に説明する。
【００１４】
［第１の実施形態］
図１は、本発明の第１の実施形態に係るドットプリンタの構成を表すブロック構成図である。本発明の第１の実施形態に係るドットプリンタ１は、ＣＰＵ(Central Processing Unit)１０１と、フォントパターン編集部１０２と、ＣＧ−ＲＯＭ(Character Generator Read Only Memory)１０３と、編集メモリ１０４と、印字制御部１０５と、印字ヘッド１０６とを備える。ドットプリンタ１は、上位装置２と接続されている。
【００１５】
「フォントパターン」とは、ドットプリンタ１が印字する文字等のフォントを、格子状の領域に配置された１つ以上のドットとして表したもの（ビットマップフォント）である。
【００１６】
上位装置２は、印字する文字等を指定するデータである印字データと、印字速度をドットプリンタ１に送信する。上位装置２は、ドットプリンタ１を用いて文書の印刷を行うコンピュータ装置であってもよい。
【００１７】
通信インタフェース１０７は、上位装置２００との通信を行う。ＣＧ−ＲＯＭ１０３は、フォントパターンの元となるデータであるフォントパターン元データを格納するＲＯＭである。フォントパターン編集部１０２は、ＣＧ−ＲＯＭ１０３から読みだされたフォントパターン元データを編集することにより、フォントパターンを作成する。編集メモリ１０４は、編集あるいは作成されたフォントパターンを記憶する。編集メモリ１０４は、ＲＡＭ(Random Access Memory)などの記憶装置である。印字制御部１０５は、編集メモリ１０４に記憶されたフォントパターンを、印字ヘッド１０６を用いて、指定された印字速度で印字する。ＣＰＵ１０１は、これらドットプリンタ１を構成する要素を制御する。ＣＧ−ＲＯＭ１０３および編集メモリ１０４は、記憶手段と呼ばれることもある。
【００１８】
図２は、フォントパターン元データの一例を表す図である。図２に示すフォントパターン元データは、実際の印字に用いられるフォントパターンが、横方向においてドット数が１／４に圧縮された状態を表すものである。以下、図２のフォントパターン元データから、原フォントパターンを作成する処理について説明する。フォントパターン編集部１０２は、図２のフォントパターン元データをＣＧ−ＲＯＭ１０３から取得する。そして、フォントパターン編集部１０２は、取得したフォントパターン元データを横方向に４倍伸長することによりフォントパターンを作成し、編集メモリ１０４に記憶する。図３は、この処理により編集メモリ１０４に記憶された編集途中のフォントパターンを表す図である。次に、フォントパターン編集部１０２は、図３のフォントパターンを、左端から４列ごとのドットを除くドットを間引くことにより、印字用の原フォントパターンを作成する。図４は、この処理により編集メモリ１０４に記憶された原フォントパターンを表す図である。印字制御部１０５は、図４の原フォントパターンを、印字ヘッド１０６を用いて印字する。図４において、マス目の間の横方向の距離は１／７２０インチである。図４を参照すると、原フォントパターンは、横方向ライン（Ｌ１〜Ｌ２４）のドット間の距離が、１／１８０インチとなっている。この距離は、印字ヘッド１０６の最高応答周波数と、ドットプリンタ１の印字速度に対応している。以下、原フォントパターンに対応するドットプリンタ１の印字速度を「通常の印字速度」と称する。
【００１９】
次に、通常の印字速度より高速な印字速度のためのフォントパターンを作成する処理について説明する。図５は、通常の印字速度より高速な印字速度のためのフォントパターンを作成する高速印字フォントパターン編集処理を説明するフローチャートである。以下、図５を参照して、高速印字フォントパターン編集処理について説明する。
【００２０】
最初に、ドットプリンタ１は、上位装置２より、印字速度（高速）の指定と、１行分の印字データを受信する（ステップＳ５０１）。印字速度（高速）とは、通常の印字速度より高速な印字速度のことである。印字速度（高速）は、「１．５倍速」や「２倍速」など、通常の印字速度の何倍の印字速度であるかを示す倍率で表されてもよい。
【００２１】
フォントパターン編集部１０２は、受信した印字データに対応する、１行分のフォントパターン元データをＣＧ−ＲＯＭ１０３より取得する（ステップＳ５０２）。そして、フォントパターン編集部１０２は、取得したフォントパターン元データを横方向に４倍伸長することにより１行分のフォントパターンを作成し、作成したフォントパターンを編集メモリ１０４に記憶する（ステップＳ５０３）。
【００２２】
次にフォントパターン編集部１０２は、編集メモリ１０４に記憶された編集途中のフォントパターンの一部が、フォントの縦要素であるか判定する（ステップＳ５０４）。フォントの縦要素とは、例えば「＋」の縦線の部分など、フォントパターンのドットが縦方向に連続している部分を指す。この判定は、フォントパターン元データを横方向に４倍伸長したフォントパターンにおいて、横方向に８ドットが連続しており、かつ、その横方向の前後に他のドットが無い場合、当該部分がフォントの縦要素である、とすることにより行われてもよい。すなわち、フォントパターン元データにおいては、横方向に２ドットが連続しており、かつ、その横方向の前後に他のドットが無い場合、当該部分はフォントの縦要素である。上記の判定において、当該部分がフォントの縦要素である、と判定されなかった場合、フォントパターン編集部１０２は、当該部分がフォントの縦要素ではないと判定する。
【００２３】
当該部分がフォントの縦要素ではないと判定された場合（ステップＳ５０４において「ＮＯ」）、フォントパターン編集部１０２は、当該部分に対し、ステップＳ５０１で指定された印字速度に追従可能なドットを選択する編集を行う（ステップＳ５０５）。すなわち、指定された印字速度において、印字ヘッド１０６が自身の最高応答周波数において追従可能となるように、フォントパターンの当該部分のドットを配置する。この編集は、指定された印字速度に対応する間隔でフォントパターンの当該部分のドットを選択し、選択されなかったドットを間引くことにより行われてもよい。
【００２４】
当該部分がフォントの縦要素であると判定された場合（ステップＳ５０４において「ＹＥＳ」）、フォントパターン編集部１０２は、１つ前の横方向のラインのドット配置に基づいて、フォントパターンの当該部分のドットを千鳥状に配置する編集を行う（ステップＳ５０６）。
【００２５】
ステップＳ５０５あるいはＳ５０６の処理が完了した後、フォントパターン編集部１０２は、フォントパターンの横方向の１ライン分の編集が完了したかどうかを判定する（ステップＳ５０７）。完了していない場合は（ステップＳ５０７において「ＮＯ」）、処理した部分の右隣のドットにおいて、ステップＳ５０４以降の処理を繰り返す。
【００２６】
横方向の１ライン分の編集が完了した場合は（ステップＳ５０７において「ＹＥＳ」）、フォントパターン編集部１０２は、フォントパターンのすべてのラインの編集が完了したかどうかを判定する（ステップＳ５０８）。すべてのラインの編集が完了していない場合は（ステップＳ５０８において「ＮＯ」）、次のラインにおいて、ステップＳ５０４以降の処理を繰り返す。すべてのラインの編集が完了した場合は（ステップＳ５０８において「ＹＥＳ」）、高速印字フォントパターン編集処理は終了する。
【００２７】
高速印字フォントパターン編集処理が終了すると、ドットプリンタ１は、ステップＳ５０１で指定された印字速度（高速）で、編集が完了した１行分のフォントパターンを印字する。
【００２８】
上記の高速印字フォントパターン編集処理において、１行単位での編集処理が行われたが、そうでなくともよい。例えば、１文字単位での編集処理が行われても良い。
【００２９】
次に、図２のフォントパターン元データが入力された場合の、高速印字フォントパターン編集処理について説明する。以下の説明においては、ステップＳ５０１において「２倍速」の印字速度が指定され、ステップＳ５０２において図２のフォントパターン元データが取得されたものとする。
【００３０】
ステップＳ５０３において、フォントパターン編集部１０２は、図２のフォントパターン元データを横方向に４倍伸長することにより、図３のフォントパターンを作成する。
【００３１】
次に、ステップＳ５０４以降の処理において、フォントパターン編集部１０２は、図３のフォントパターンの横方向ラインＬ１（以降、単に「ラインＬ１」と称する）より順番に編集処理を行う。まず、フォントパターン編集部１０２は、ステップＳ５０４において、図３のラインＬ１の左端のＲ１の部分がフォントの縦要素であるか判定する。具体的には、ラインＬ１の左端のＲ１の部分が「横方向に８ドットが連続しており、かつ、その横方向の前後に他のドットが無い」に該当するかどうかを判定する。その結果、ラインＬ１全体においてこれに該当しないため、フォントパターン編集部１０２は、ラインＬ１全体を「フォントの縦要素ではない」と判定する。この判定結果により、フォントパターン編集部１０２は、ステップＳ５０５において、「２倍速」の印字速度に追従可能となるように図３のフォントパターンのラインＬ１を編集する。具体的には、フォントパターン編集部１０２は、ラインＬ１において、通常の印字速度の場合、すなわち図４の原フォントパターンと比べて倍の８ドットごとにドットを選択し、それ以外のドットを間引く処理を行う。図６は、この編集処理を行った後のフォントパターンを表す図である。図６を参照すると、編集処理が行われたラインＬ１は、図４の通常の印字速度のための原フォントパターンに比べ、横方向のドット間の距離が２倍の長さ（１／９０インチ）になっている。横方向のドット間の距離が２倍であることにより、２倍速の走査に印字ヘッド１０６の印字素子が追従することが可能になる。このことにより、２倍速の印字速度が実現される。
【００３２】
次に、フォントパターン編集部１０２は、ステップＳ５０４において、図６のラインＬ２の左端のＲ１の部分がフォントの縦要素であるか判定する。その結果、ラインＬ２のＲ１〜Ｒ８は「横方向に８ドットが連続しており、かつ、その横方向の前後に他のドットが無い」に該当する。このため、フォントパターン編集部１０２は、ラインＬ２のＲ１〜Ｒ８を「フォントの縦要素である」と判定する。この判定結果により、フォントパターン編集部１０２は、ステップＳ５０６において、１つ前の横方向のラインのドット配置に基づいて、当該部分のフォントパターンを千鳥状に配置する。このとき、千鳥状に配置されたドットの横方向におけるドット間の距離が、通常の印字速度の場合、すなわち図４の原フォントパターンにおける距離（１／１８０インチ）よりも短く（１／２４０インチ）なるように配置する。具体的には、フォントパターン編集部１０２は、１つ前のラインＬ１のＲ１にドットがあることから、ラインＬ２のＲ１〜Ｒ８において、Ｒ４にドットを配置し、他のドットを削除する。
【００３３】
図７は、上記の編集処理を行った後のフォントパターンを表す図である。図７を参照すると、ラインＬ１のＲ１のドットと、ラインＬ２のＲ４のドットは、図４の通常の印字速度のための原フォントパターンに比べ、横方向のドット間の距離が短くなっている。このことにより、千鳥状の部分の印字結果がギザギザした印象を与えることが軽減される。また、ラインＬ１とラインＬ２は異なる横方向ラインであるため、横方向のドット間の距離を短くしつつ、通常より高速な印字速度が実現される。
【００３４】
同様に、フォントパターン編集部１０２は、ラインＬ２のＲ１７〜Ｒ２４の部分を「フォントの縦要素である」と判定する。以降、同様に、フォントパターン編集部１０２は、ラインＬ３〜Ｌ２２のＲ１〜８およびＲ１７〜Ｒ２４の部分を「フォントの縦要素である」と判定する。この判定結果により、フォントパターン編集部１０２は、ステップＳ５０６において、１つ前の横方向のラインのドット配置に基づいて、当該部分のフォントパターンを千鳥状に配置する。図８は、上記の編集処理を行った後のフォントパターンを表す図である。
【００３５】
次に、フォントパターン編集部１０２は、ステップＳ５０４において、図８のラインＬ２３の左端のＲ１の部分がフォントの縦要素であるか判定する。その結果、ラインＬ１と同様に、フォントパターン編集部１０２は、ラインＬ２３全体を「フォントの縦要素ではない」と判定する。この判定結果により、フォントパターン編集部１０２は、ステップＳ５０５において、「２倍速」の印字速度に追従可能となるようにフォントパターンのラインＬ２３を編集する。
【００３６】
ラインＬ２４には処理の対象となるドットが存在しないため、高速印字フォントパターン編集処理は終了する。図９は、高速印字フォントパターン編集処理が終了した後の、２倍速の印字速度のためのフォントパターンを表す図である。
【００３７】
上記の説明においては、指定された印字速度が「２倍速」である場合について説明したが、それ以外でもよい。すなわち、フォントパターン編集部１０２は、ステップＳ５０５において、選択するドットの間隔を変えることにより、異なった印字速度に対応したフォントパターンを作成してもよい。図１０は、１．５倍速の印字速度のためのフォントパターンを表す図である。また、図１１は、１．２５倍速の印字速度のためのフォントパターンを表す図である。
【００３８】
ステップＳ５０５において選択するドットの間隔は、通常の印字速度の場合の横方向のドット間隔、すなわち図４の原フォントパターンにおける横方向のドット間隔に、印字速度の倍率を掛け合わせたものであってもよい。
【００３９】
以上のように、本発明の第１の実施形態に係るドットプリンタ１は、印字品質を著しく低下することなく、印字速度を高速化する。なぜならば、フォントパターン編集部１０２が、フォントの縦要素の部分のドットを千鳥状に配置する編集を行い、縦要素ではない部分のドットを指定された印字速度に追従可能なように選択して配置する編集を行うからである。
【００４０】
すなわち、フォントの縦要素については、フォントパターン編集部１０２はドットを千鳥状に配置することにより印字速度を高速化する。また、千鳥状の配置に際しては、横方向のドット間の距離を調節することにより、ギザギザした印象を与えることが軽減される。
【００４１】
また、フォントの横線など、縦要素ではない部分については、フォントパターン編集部１０２は指定された印字速度に追従可能なドットを選択する編集を行う。すなわち、指定された印字速度において、印字ヘッド１０６が自身の最高応答周波数において追従可能となるように、フォントパターンの当該部分のドットを配置する。このことにより、印字品質の低下を最小限に抑えつつ、指定された印字速度が実現される。
【００４２】
さらに、本発明の第１の実施形態に係るドットプリンタ１は、あらかじめ高速印字用のフォントパターンを作成，格納しておくことなしに、任意の速度での高速印字を可能にする。なぜならば、フォントパターン編集部１０２が、原フォントパターンの元となるデータより、指定された印字速度（高速）に対応するフォントパターンを作成するからである。
【００４３】
［第２の実施形態］
次に、本発明の第２の実施の形態を説明する。
【００４４】
図１２は、本発明の第２の実施形態に係るドットプリンタの構成を表すブロック構成図である。本発明の第２の実施形態に係るドットプリンタ１０は、フォントパターンを編集することにより、所与の印字速度に対応するフォントパターンを作成するフォントパターン編集部１００２を備える。
【００４５】
フォントパターン編集部１００２は、格子状の領域に配置された１つ以上のドットとしてフォントを表すフォントパターンの一部が、フォントの縦要素であるか判定する。縦要素であると判定した場合は、フォントパターン編集部１００２は、フォントパターンの当該部分のドットを千鳥状に配置する縦要素配置編集を行う。縦要素の部分ではないと判定した場合は、フォントパターン編集部１００２は、フォントパターンの当該部分のドットを所与の印字速度に対応する間隔で配置する横要素配置編集を行う。
【００４６】
以上のように、本発明の第２の実施形態に係るドットプリンタ１０は、印字品質を著しく低下することなく、印字速度を高速化する。なぜならば、フォントパターン編集部１００２が、フォントの縦要素の部分のドットを千鳥状に配置する編集を行い、縦要素ではない部分のドットを指定された印字速度に対応する間隔で配置する編集を行うからである。
【００４７】
上述の実施形態において、ステップＳ５０６の処理で千鳥状に配置されたドットの横方向におけるドット間の距離を１／２４０インチとしたが、この他の距離でもよい。すなわち、例えば、１／１８０インチや、１／３６０インチでもよい。
【００４８】
また、フォントパターン元データは、実際の印字に用いられるフォントパターンが横方向においてドット数が１／４に圧縮されたものであるとしたが、これには限られない。例えば、ドット数が１／２や１／８など、１／ｎ（ｎは任意の自然数）に圧縮されたものでもよい。
【００４９】
図１のフォントパターン編集部１０２および印字制御部１０５、図１２のフォントパターン編集部１００２は、ＩＣ(Integrated Circuit)などの専用のハードウェアで実現されてもよい。
【符号の説明】
【００５０】
１，１０    ドットプリンタ
１０１    ＣＰＵ
１０２，１００２    フォントパターン編集部
１０３    ＣＧ−ＲＯＭ
１０４    編集メモリ
１０５    印字制御部
１０６    印字ヘッド
１０７    通信インタフェース
２    上位装置
【図１】
2015098115.tif 000003
【図２】
2015098115.tif 000004
【図３】
2015098115.tif 000005
【図４】
2015098115.tif 000006
【図５】
2015098115.tif 000007
【図６】
2015098115.tif 000008
【図７】
2015098115.tif 000009
【図８】
2015098115.tif 000010
【図９】
2015098115.tif 000011
【図１０】
2015098115.tif 000012
【図１１】
2015098115.tif 000013
【図１２】
2015098115.tif 000014